(57)【要約】      （修正有）【課題】背中などの手が届きにくい部位であっても、指で塗るように自分で薬剤を塗布することができる薬剤塗布用器具を提供する。【解決手段】アーム２の一端に持ち手３を有し他端に薬剤塗布部４を有する薬剤塗布用器具１であって、前記アームはへの字状に湾曲し、前記薬剤塗布部は肉厚を有する略長円盤状若しくは略楕円盤状で、前記略長円盤若しくは略楕円盤の一方の面が凸状曲面を有する薬剤塗布面５であることを特徴とする。【選択図】図１
0003157670.tif 000002
【実用新案登録請求の範囲】
【請求項１】
アームの一端に持ち手を有し他端に薬剤塗布部を有する薬剤塗布用器具であって、前記アームはへの字状に湾曲し、前記薬剤塗布部は肉厚を有する略長円盤状若しくは略楕円盤状で、前記略長円盤若しくは略楕円盤の一方の面が凸状曲面を有する薬剤塗布面であることを特徴とする薬剤塗布用器具。
【請求項２】
前記アームがへの字に見える方向を正面としたときに前記前記略長円盤若しくは略楕円盤の各面は上下方向に面し、下側の面が凸状曲面を有する薬剤塗布面であることを特徴とする請求項１記載の薬剤塗布用器具。
【考案の詳細な説明】
【技術分野】
【０００１】
本考案は、背中などの手の届きにくい部位でも指で塗る感覚で容易に薬剤を塗布することができる薬剤塗布用器具に関する。
【背景技術】
【０００２】
軟膏やクリームなどの薬剤は通常指で患部に塗布する。患部が凝りや筋肉痛を有する場合はマッサージするように指を強く押し当てながら薬剤を擦り込んだり、患部が痒い場合は掻きながら塗布したり、患部が傷口など痛みを伴う場合は刺激しないように塗るなど、患部の状態に応じて塗布する。
【０００３】
患部が背中などの手の届きにくい部位である場合や身体の自由が利かない場合など自分で塗布できないときは、他人の手を借りる必要がある。しかし、他人に塗ってもらう場合、薬剤を塗る度に看護師や介護者を呼んだり患部の位置や状態を伝たえたりしなければならず煩わしい。したがって手が届きにくい部位でも自分で塗布できるのが望ましい。
【０００４】
従来、手が届きにくい所に自分で薬剤を塗布することを目的とした薬剤塗布用器具として、特許文献１のように長いアームの先端にローラーを有するものや、特許文献２のようにブラシを有するものがある。しかしながら、いずれも指で塗るのと同じような感覚を再現するものではなかった。
【先行技術文献】
【特許文献】
【０００５】
【特許文献１】特開２００６−２８８８４６号公報
【特許文献２】特開２００７−１６００４７号公報
【考案の概要】
【考案が解決しようとする課題】
【０００６】
本考案では、手が届きにくい所であっても、自分の指で塗布するように薬剤を塗布することができる薬剤塗布用器具を提供する。
【課題を解決するための手段】
【０００７】
上記課題を解決するために、本考案の薬剤塗布用器具は、アームの一端に持ち手を有し他端に薬剤塗布部を有する薬剤塗布用器具であって、前記アームはへの字状に湾曲し、前記薬剤塗布部は肉厚を有する略長円盤状若しくは略楕円盤状で、前記略長円盤若しくは略楕円盤の一方の面が凸状曲面を有する薬剤塗布面であることを特徴とする。
【０００８】
より詳細には、前記アームがへの字に見える方向を正面としたときに前記略長円盤若しくは略楕円盤の各面は上下方向に面し、下側の面が凸状曲面を有する薬剤塗布面であることを特徴とする。
【考案の効果】
【０００９】
本考案の薬剤塗布用器具は、アームがへの字状に湾曲していることで背中など身体の曲面に沿い、アームが湾曲していない場合に比べて塗布しやすい。
【００１０】
また、薬剤塗布部が肉厚を有する略長円盤状若しくは略楕円盤状で、前記略長円盤若しくは略楕円盤の一方の面が凸状曲面を有する薬剤塗布面であることにより、指で薬剤を擦り込むのと同じように薬剤を塗布することができる。
【００１１】
さらに、前記アームがへの字に見える方向を正面としたときに前記略長円盤若しくは略楕円盤の各面は上下方向に面し、下側の面が凸状曲面を有する薬剤塗布面であることにより、さらに容易に指で薬剤を擦り込むのと同じように薬剤を塗布することができる。
【図面の簡単な説明】
【００１２】
【図１】本考案の薬剤塗布用器具の斜視図である。
【図２】本考案の薬剤塗布用器具のアームの断面形状の例を示す図である。
【図３】本考案の薬剤塗布用器具の薬剤塗布部の形状を示す図である。
【図４】本考案の薬剤塗布用器具をアームがへの字状に見える方向から見た図である。
【図５】本考案の薬剤塗布用器具の使用状態の一例を示す図である。
【考案を実施するための形態】
【００１３】
本考案に係る薬剤塗布用器具を図を用いて説明する。図１は本考案に係る薬剤塗布用器具の斜視図である。薬剤塗布用器具１は、アーム２の一端に持ち手３を有し、他端に薬剤塗布部４を有する。アーム２は背中など身体の曲面に沿うようにへの字状に湾曲している。図２（ａ）、（ｂ）のようにアーム２の断面形状は平板状、円形など機能を妨げない限り特に問わない。アーム２に適度なしなりを与えるためには（ｃ）のように窪み６を形成するとよい。図３は薬剤塗布部４の形状の例を示す図である。上段は図１のＸで示す矢印の方向から、中段はＹで示す矢印の方向から、下段はＺで示す矢印の方向から見た薬剤塗布部４であり、（ａ）はＸ方向から見た形状が略長円盤状、（ｂ）は略楕円盤状の薬剤塗布部４を示す。（ａ）、（ｂ）ともに、その大きさは長手方向の幅が約３０ｍｍ、短手方向の幅が約２０ｍｍ、厚みが最大となる部分の厚さは約５ｍｍである。薬剤塗布部４の略長円盤若しくは略楕円盤の一方の面は薬剤を載せて身体に塗布する面である薬剤塗布面５であり、薬剤塗布面５は、中段及び下段の図に示すように、（ａ）、（ｂ）ともにちょうど指腹のような凸状曲面を有している。薬剤塗布面５が凸状曲面であることにより指腹で薬剤を塗布するのと同じように薬剤を塗布することができる。
【００１４】
また、図４に示すように、本考案の薬剤塗布用器具１はアーム２がへの字に見える方向を正面としたときに略長円盤若しくは略楕円盤の各面は上下方向に面し、この場合、下側の面が凸状曲面を有する薬剤塗布面５となる。
【００１５】
本考案の薬剤塗布用器具は、強く押し当ててもアームが折れたり曲がったりしない程度の強度と弾力があればよく、材料として木や樹脂などが考えられる。特に適切な材料としてはポリプロピレンが挙げられる。
【００１６】
本考案の薬剤塗布用器具の使用方法としては、図５（ａ）に示すように薬剤塗布面５に薬剤を載せ、（ｂ）、（ｃ）のように背中などの手の届きにくい患部に薬剤塗布面５を使って薬剤を塗布する。本考案の薬剤塗布用器具はアーム２がへの字状に湾曲しているので、身体の曲面に妨げられずにあらゆる方向から使用できる。例えば（ｂ）のように腕を上げて首の後ろから薬剤塗布用器具１を下向きに持って使用してもよいし、肩や腕が上がらない場合など（ｂ）では患部に届かない場合には、（ｃ）のように下から、あるいは横からなど、患部の位置や使用者の状態に応じた姿勢で使用することができる。したがって、身体の自由が利きにくい場合であっても薬剤を塗るために無理に身体をねじ曲げる必要がない。薬剤は、薬剤塗布面５を患部に押し当てたまま細かく上下左右に動かすことで擦り込むことができる。薬剤を塗布する際に薬剤塗布面５の縁などで患部を掻いたり、薬剤塗布面５でマッサージしたりできる。患部が痛みを伴う場合は、患部に触れないように薬剤を載せるなどして使用する。
【符号の説明】
【００１７】
１    薬剤塗布用器具
２    アーム
３    持ち手
４    薬剤塗布部
５    薬剤塗布面
６    窪み
７    薬剤
【図１】
0003157670.tif 000003
【図２】
0003157670.tif 000004
【図３】
0003157670.tif 000005
【図４】
0003157670.tif 000006
【図５】
0003157670.tif 000007